(57)【要約】【課題】動物による食害を抑制し、植物により安定化され景観も良好な法面を得ることができる食害抑制法面緑化工法を提供する。【解決手段】植物の種子を含む客土混合物のスラリーを準備する準備工程と、スラリーを法面４に吹き付けて客土混合物層８を形成する吹付け工程と、客土混合物層８を覆うように金網２を敷設する金網敷設工程とを備え、金網２は、その網目２０の大きさが、植物の種子またはこの種子から発芽した芽を食べる有蹄類動物の蹄３０の接地部分の大きさよりも小さい。【選択図】図２
2015048610.tif 000002
【特許請求の範囲】
【請求項１】
植物の種子を含む客土混合物のスラリーを準備する準備工程と、
前記スラリーを法面に吹き付けて客土混合物層を形成する吹付け工程と、
前記客土混合物層を覆うように金網を敷設する金網敷設工程と
を備え、
前記金網は、その網目の大きさが、前記植物の種子またはこの種子から発芽した芽を食べる有蹄類動物の蹄の接地部分の大きさよりも小さいことを特徴とする食害抑制法面緑化工法。
【請求項２】
前記網目の縦方向の長さが２０ｍｍ以上３０ｍｍ以下、前記網目の横方向の長さが２０ｍｍ以上３０ｍｍ以下であることを特徴とする請求項１に記載の食害抑制法面緑化工法。
【請求項３】
前記金網は、経年変化により腐食して消失する材質のものを用いることを特徴とする請求項１又は２に記載の食害抑制法面緑化工法。
【請求項４】
前記植物は、前記有蹄類動物の不嗜好性植物であることを特徴とする請求項１〜３の何れかに記載の食害抑制法面緑化工法。
【発明の詳細な説明】
【技術分野】
【０００１】
本発明は、食害抑制法面緑化工法に関する。
【背景技術】
【０００２】
道路の造成や宅地の造成にともない、切土や盛土により人工的な斜面、即ち、法面が形成される。この法面においては、風化による落石や崩落を防ぐ必要があるため、かかる法面を植物で覆い安定させる法面緑化が通常行われる。このような法面緑化の方法としては、一般的に、客土吹付け工法や厚層基材吹付け工法が知られている（特許文献１参照）。これらの工法は、例えば、土壌、植物種子、肥料、土壌固結材（結合材）、及び水などを所定の割合で混合してスラリー状の混合物とし、このスラリー状の混合物を法面に吹き付けてかかる法面を所望厚さの混合物の層で被覆する工法である。
【０００３】
法面に吹き付けられたスラリー状の混合物は、それに含有されている結合材が経時的に硬化し、その過程で、客土の土壌粒子を相互に結合させることにより、土壌粒子の団粒化が進む。そして、結合材の硬化過程と土壌粒子の団粒化過程で、混合物の層に亀裂が発生し、この亀裂から植物種子が発芽成育していく。これにより、植物の根が成長して法面を安定化させるとともに、成長した植物により法面の景観も良好なものとなる。
【先行技術文献】
【特許文献】
【０００４】
【特許文献１】特開２００２−２１８８４０号公報
【発明の概要】
【発明が解決しようとする課題】
【０００５】
ところで、上記したような法面緑化においては、植物が順調に成長することが重要となる。しかしながら、これら植物の種子や発芽したばかりの芽が、野生動物、例えば、鹿や猪といった有蹄類の動物に食べられてしまい、植物の成長が阻害される、いわゆる食害を受けるといった問題がある。このような食害を受けると、法面の安定化を充分に行うことはできなくなり、また、植物の成長もまばらとなるため景観も損なわれる。
【０００６】
本発明は、上記の事情に基づいてなされたものであり、その目的とするところは、動物による食害を抑制し、植物により安定化され景観も良好な法面を得ることができる食害抑制法面緑化工法を提供することにある。
【課題を解決するための手段】
【０００７】
上記目的を達成するために、本発明者は、食害を引き起こす有蹄類の動物の習性を検討した。本発明者は、この検討過程で、有蹄類の動物は、歩行に際し、その蹄の先が引っ掛かる、あるいは蹄が滑るような路面を嫌う習性を見出し、本発明に想到した。
【０００８】
すなわち、本発明の一態様によれば、植物の種子を含む客土混合物のスラリーを準備する準備工程と、前記スラリーを法面に吹き付けて客土混合物層を形成する吹付け工程と、前記客土混合物層を覆うように金網を敷設する金網敷設工程とを備え、前記金網は、その網目の大きさが、前記植物の種子またはこの種子から発芽した芽を食べる有蹄類動物の蹄の接地部分の大きさよりも小さいことを特徴とする食害抑制法面緑化工法が提供される。
【０００９】
この態様によれば、鹿などの有蹄類動物は、蹄の先端が引っ掛かる、あるいは、蹄が滑る場所を嫌う習性があるため、蹄の接地部分の大きさよりも小さいサイズの網目で形成されている金網の上には近寄らない。その結果、植物の種子及びこの種子から成長した芽は、食害を受けることなく成長し、法面の緑化が良好な状態で実現される。
【００１０】
好ましくは、前記網目の縦方向の長さが２０ｍｍ以上３０ｍｍ以下、前記網目の横方向の長さが２０ｍｍ以上３０ｍｍ以下である構成とする。
【００１１】
この態様の場合、主な忌避の対象動物である鹿の一般的な成体の蹄の接地部分の大きさよりも網目の大きさが小さくなるため、鹿を緑化中の法面に寄せ付けず、鹿による食害をより確実に抑制できる。
【００１２】
また、前記金網は、経年変化により腐食して消失する材質のものを用いる構成とすることが好ましい。
【００１３】
この態様の場合、植物の成長により、植物の幹や根が大きくなっても、その頃には経年変化により金網は腐食して消失しているので、金網が植物の幹や根を縛ることはなく、植物の成長の障害とはならない。
【００１４】
また、前記植物は、前記有蹄類動物の不嗜好性植物である構成とすることが好ましい。
【００１５】
この態様の場合、対象の有蹄類動物は法面に生い茂る植物を食べないのでより効果的に食害を抑制することができる。
【発明の効果】
【００１６】
本発明に係る食害抑制法面緑化工法は、有蹄類の野生動物が寄り付かない金網で植物の種子を含む客土を覆っているので、植物の種子や発芽した芽をかかる野生動物による食害から守ることができる。このため、植物により安定化され景観も良好な法面を得ることができる。
【図面の簡単な説明】
【００１７】
【図１】本発明の一実施形態に係る金網を法面に敷設した状態を概略的に示した断面図である。
【図２】本発明の一実施形態に係る金網を示した平面図である。
【発明を実施するための形態】
【００１８】
以下、本発明に係る食害抑制法面緑化工法について図面を参照して説明する。
まず、客土混合物のスラリーを準備する。
【００１９】
客土混合物のスラリーは、客土混合物に水を加えて混合して形成された懸濁体である。
この客土混合物は、土壌等からなる基盤材、植物種子、肥料及び結合材を混合して得られる。
【００２０】
基盤材は、バーク堆肥、ピートモス、土壌及びフライアッシュを含んでいる。
【００２１】
バーク堆肥は、植物種子が発芽成育するための育苗床として機能するものであって、その含有量は３０〜９０質量％に設定される。好ましくは、３０〜６０質量％に設定される。
【００２２】
含有量が３０質量％より少ない場合には、植物種子の発芽成育が不充分であり、また９０質量％より多くすると、他の成分の含有量が少なくなって保水性や通気性に難点が生ずるとともにコスト上昇を招くようになる。
【００２３】
このバーク堆肥は、樹皮のカットの仕方、添加肥料の種類や量、堆積時間などによって性質が異なってくるが、例えば、全国バーク堆肥工業会が規格化しているものであれば使用可能である。そして、発芽成育させる植物種子との関係で適切な種類のバーク堆肥を選定し、それを使用すればよい。
【００２４】
ピートモスは、保肥力確保に寄与する成分である。その含有量が多すぎると、土壌のｐＨ低下を招く、乾燥が著しく進むなどの好ましくない問題が生じはじめ、また他の成分が少なくなるので、含有量の上限は５０質量％に規制される。好ましくは、５〜３０質量％である。
【００２５】
土壌は、前記したバーク堆肥やピートモスと一緒になって保水性と保肥力の確保に資する成分であって、その含有量は１〜５０質量％に設定される。
【００２６】
含有量が１質量％より少ない場合は上記した効果が充分に発揮されず、また５０質量％より多くすると、他の成分の含有量が少なくなり、それら成分の作用効果は減殺されると同時に、質量が増えることによって法面に吹き付けられた客土混合物の滑落が起こりやすくなるというような問題も生じてくる。好ましい含有量は２０〜５０質量％である。
【００２７】
この土壌としては、格別限定されるものではなく、例えば黒土、荒木田土などをあげることができる。そして、それ自体として保水性や保肥力に優れるものが好適であり、その観点からすると黒土が好適である。
【００２８】
フライアッシュは、基盤材の保水性と保肥力、更には、造成後の客土混合物の安定確保に資する成分であって、その含有量は２〜５０質量％に設定される。
含有量が２質量％より少ない場合は上記した効果が充分に発揮されず、また、結合材の性能が充分に発揮できなくなる。含有量が５０質量％より多くなると、他の成分の含有量が少なくなり、それらの成分の作用効果が減殺されると同時に、質量が増えることによって客土混合物層の滑落が起こりやすくなるなどの問題が生じてくる。好ましくは、１０〜４０質量％に設定される。
【００２９】
また、フライアッシュは、後述する緑化土壌安定化無機質材料と共存状態で使用すると、当該緑化土壌安定化無機質材料の灰成分と同様にエトリンジャイト等の水和物の生成に寄与し、もって客土混合物を多孔質な団粒にしてその保水性と通気性の確保に有効である。
【００３０】
植物種子としては、特に限定はされないが、例えば、よもぎ、ホワイトクローバ、茅等を挙げることができる。また、鹿等の有蹄類動物が好まない、不嗜好性植物の種子、例えば、松風草（まつかぜそう）、竹似草（タケニグサ）、蛇結茨（じゃけついばら）、薄（すすき）、めど萩（めどはぎ）、引起し（ひきおこし）、岡虎の尾（おかとらのお）等の種子を用いることが好ましい。
【００３１】
肥料としては、上記した植物の育成に有効であるものであれば特に限定されない。
【００３２】
結合材としては、緑化土壌安定化無機質材料が使用される。具体的には、硫酸アルミニウム１〜２０質量％、硫酸カルシウム１〜２０質量％、シリカ粉末１〜２０質量％、セメント成分１〜８０質量％から成る添加剤を、フライアッシュ、製紙スラジの焼却灰などの灰成分１００質量部に対し、１０〜５０質量部混合して成る混合物、またはこれに更にセラミックス粉末１０質量部以下を混合して成る混合物が使用される。
【００３３】
この材料中の硫酸アルミニウムと硫酸カルシウムの働きにより、灰成分やフライアッシュとの間でエトリンジャイトやケイ酸カルシウム水和物のような自硬性水和物が迅速に形成され、客土混合物の構成粒子は、多孔質で保水性と通気性に富む団粒から成る吹付け面を構成し、植物種子の発芽成育に適した環境が形成される。
【００３４】
なお、結合材としては、上記した緑化土壌安定化無機質材料を好適例とするが、その外に、例えば、ポルトランドセメント、高炉セメントのような無機質の結合材を用いても同様の効果を得ることができる。
【００３５】
以上のような基盤材、植物種子、肥料及び結合材を所定の割合で混合して客土混合物を製造することができる。得られた客土混合物に水を加えて更に混合して懸濁状態とし客土混合物のスラリーを製造する。
【００３６】
得られた客土混合物のスラリーは空気圧縮機が接続されている吹付機に投入される。そして、客土混合物のスラリーを吹付機のノズルから噴射して対象の法面に吹き付ける。法面に吹き付けられた客土混合物のスラリーは硬化し、法面４上にて客土混合物層８となる（図１参照）。この客土混合物層８は、任意の厚さで形成されるが、通常は１〜１０ｃｍ程度の厚さで形成される。
【００３７】
上記したような客土混合物は、材料の水和反応により、スラリー中の水分が迅速に吸収されながら客土混合物の団粒、固化が進行して高強度化する。その結果、得られる客土混合物層は、短時間で安定化する。このため、上記したような客土混合物の場合、通常の法面緑化工法で採用されるような、客土を吹き付ける前の法面に配設されるラス網を省略することができる。
【００３８】
次に、図１に示すように、客土混合物層８の上には、その全体を覆うように金網２が敷設される。この金網２は、客土混合物層８に含まれる植物種子及びこの植物種子から発芽した芽を食害から守るために敷設される。この食害は、一般的に鹿や猪といった有蹄類の野生動物により引き起こされる。これら野生動物は、歩行の際、その蹄の先端部が引っ掛かる、あるいは蹄が滑る場所を嫌う習性があるため、本発明では、この習性を利用し、適切な大きさの網目２０を備えた金網２を敷設することによりこれら野生動物を客土混合物層に寄り付かせないようにし、もって食害を抑制する。
【００３９】
本発明で用いる金網２においては、網目２０の形状は特に限定されず、例えば、正方形、菱形、亀甲形等適宜選択可能である。ここで、網目２０の大きさは、上記したような有蹄類の野生動物、特に鹿の蹄における接地部分の大きさよりも小さくする。このように、網目２０の大きさが蹄の接地部分の大きさよりも小さければ、野生動物は、歩行に際して、蹄の先端が網目に引っ掛かったり、蹄の全体が網目内に落ち込まずに網の列線部分で滑ることになる。
【００４０】
一般的な鹿の蹄３０の接地部分の大きさは、長さが約６０ｍｍ、幅が約４０ｍｍであることから、この蹄３０が網目２０に簡単に入り込まないようにするために、網目２０は、その縦方向の長さを２０ｍｍ〜３０ｍｍ、その横方向の長さを２０ｍｍ〜３０ｍｍに設定することが好ましい。
【００４１】
ここで、亀甲金網を用いた場合を例にして、鹿の蹄３０の接地部分の大きさと網目２０の大きさとの関係について説明する。図２は、亀甲金網を概略的に示した平面図である。図２から明らかなように、網目２０は、六角形をなしている。網目２０は、治具によって隣接する針金が所々ねじり合わされて六角形に成形されてなる。ここで、針金がねじられた部分をねじり部２２という。そして、参照符号ｖで示す長さを縦方向の長さとし、参照符号ｈで示す長さを横方向の長さとする。詳しくは、ねじり部２２ａの下端からねじり部２２ｂの上端までの長さが縦方向の長さｖであり、ねじり部２２ｃの右端からねじり部２２ｄの左端までの長さが横方向の長さｈである。また、相対する列線（針金）間の距離を対辺距離ｘという。よって、亀甲金網の場合、長さｈは対辺距離ｘとほぼ等しい。
【００４２】
一方、一般的な鹿の蹄３０の接地部分の形状を図２中に点線で示す。図２から明らかなように、蹄３０の接地部分は、長さがＶ、幅がＨであり、個々の網目２０の縦方向の長さｖ、横方向の長さｈの２〜３倍長く、網目２０よりも大きい。つまり、各網目２０は、蹄３０の接地部分より小さいので、鹿は、蹄３０を網目２０内に落ち込ませることはなく、金網上に乗り上がることになる。よって、鹿は、蹄３０を金網上で滑らせるか、蹄３０の先端を網目２０に引っ掛けることになるので、金網２には近寄らなくなる。
【００４３】
金網２の素材としては、特に限定されるものではないが、経年により腐食して消失する素材であることが好ましい。植物として比較的大きくなる草木を用いて法面緑化を行う場合、かかる草木が成長する過程で、金網が半永久的に残る物である場合、網目２０の部分が幹や根を縛ることになり、草木の成長を妨げることがある。よって、草木の成長を阻害しないように、鹿等から食害を受けやすい新芽の時期を過ぎたら金網は消失することが好ましい。このような金網としては、例えば、防錆のための樹脂被覆が施されていない鉄線からなる金網が挙げられる。
【００４４】
上記したような金網２は、図１に示すように、法面４の上側に位置する上段部６側から客土混合物層８上を経て法面４の下側に位置する下段部１０までを覆うように配置される。そして、所定箇所に固定用のアンカーピン１２が盛土１６まで打ち込まれ、金網２は客土混合物層８上に固定され敷設が完了する。なお、参照符号１４は土留め用のコンクリート壁であり、参照符号１８は地盤である。
【００４５】
ここで、本発明の食害抑制法面緑化工法は、上記したような野生動物が忌避する金網を客土混合物層上に敷設することを特徴としており、かかる金網が敷設される客土混合物層の強度は特に限定されない。つまり、一般的な法面緑化工法にて行われるラス網を予め配設して滑落防止の対策が必要な客土混合物層を採用することも可能である。しかしながら、例えば、特許第２９３５４０８号や特許第３６４９４３９号に示される工法によって得られるような強固で安定している客土混合物層を採用した場合、金網類の敷設作業が、野生動物が忌避する金網の敷設作業のみとなり、ラス網の準備及び敷設作業を省略できるため、作業効率の向上が図れるので好ましい。
【００４６】
［実施例］
１．法面への客土混合物層の形成
（１）実施例１
（ｉ）客土混合物のスラリーの調製
バーク堆肥３７．５質量％、ピートモス１５質量％、黒土２２．５質量％及びフライアッシュ２５質量％からなる基盤材を準備した。
【００４７】
硫酸アルミニウム１．６質量部、硫酸カルシウム１．６質量部、ヒュームドシリカ１．６質量部、セメント１１．２質量部を混合し、得られた混合物１６質量部にスラジ灰６４質量部を混合して、調製したものを結合材として準備した。
【００４８】
肥料としては、ジェイカムアグリ株式会社製のハイコントロール７００（商品名）を準備した。
【００４９】
植物種子としては、よもぎ、めどはぎ、ホワイトクローバの３種混合のものを準備した。
【００５０】
上記した基盤材１６００ｋｇ、結合材１５ｋｇ、肥料４ｋｇ、植物種子１．４９ｋｇ及びｐＨ調整剤４．２ｋｇを混合し、客土混合物を調製した。
【００５１】
次いで、得られた客土混合物を水とともにタンクに投入した後攪拌し客土混合物のスラリーを調製した。
【００５２】
（ｉｉ）法面への吹付け
得られた客土混合物のスラリーを空気圧縮機が接続されている吹付け機に投入し、かかる吹付け機の吹付けノズルよりスラリーを噴射して対象の法面４に吹き付けた。ここで、対象の法面４は、傾斜角度が約４５度、面積が約８０ｍ2である。このとき、客土混合物のスラリーの厚さは約１０ｃｍであり全体としてほぼ一定であった。その後、１日放置し、水分を蒸発させるとともに結合材を硬化させることにより法面上に客土混合物層８を形成した。
【００５３】
（ｉｉｉ）金網の敷設
線径が１．２ｍｍの鉄線によって、六角形の網目２０が形成されてなる金網２を準備した。詳しくは、図２に示すように、網目２０は、横方向の長さｈが約２６ｍｍ、縦方向の長さｖが約３０ｍｍである。なお、六角形の各対辺距離ｘは、約２６ｍｍである。そして、この金網２は、幅が２ｍ、長さが２０ｍを基本単位とし、この基本単位の金網を複数個準備した。
【００５４】
この金網２を、図１に示すような法面４上の客土混合物層８に覆い被せる。詳しくは、本実施形態で緑化の対象となる法面２は、上側にある水平な上段部６と、下側にある水平な下段部１０との間に延びる斜面である。この斜面には、上述したように客土混合物層８が設けられている。この上段部６から下段部１０にかけて客土混合物層８を覆うように基本単位の金網２を配置する。そして、客土混合物層８の横方向に向かって、更に基本単位の金網２を順次配置していく。このとき、隣合う金網２同士は、僅かに重ね合わせる。その後、主に、この重ね合わされた部分に固定用のアンカーピン１２を打ち込み金網２を客土混合物層８の斜面上に固定することにより金網２を敷設した。
【００５５】
（２）実施例２
金網２の網目２０のサイズを、横方向の長さｈが約１０ｍｍ、縦方向の長さｖが約１５ｍｍであり、各対辺距離ｘが約１０ｍｍとしたことを除いては、実施例１と同様にして法面へ客土混合物層８を形成した。
【００５６】
（３）比較例１
金網２の網目２０のサイズを、横方向の長さがｈ約６０ｍｍ、縦方向の長さｖが約７０ｍｍであり、各対辺距離ｘが約６０ｍｍとしたことを除いては、実施例１と同様にして法面へ客土混合物層８を形成した。
【００５７】
（４）比較例２
金網２を敷設しなかったことを除いては、実施例１と同様にして法面４へ客土混合物層８を形成した。
【００５８】
２．考察
実施例１、２、比較例１、２の法面につき、４週間後に客土混合物層８を観察し、種子の発芽成育状態を確認した。その結果について以下に説明する。
【００５９】
実施例１の法面では、満遍なく発芽し、植物が生い茂っており、鹿等の野生動物による食害は無かった。客土混合物層８の上に敷設した金網２が野生動物を忌避し食害を有効に抑制した。
【００６０】
実施例２の法面においても満遍なく発芽し、植物が生い茂っており、鹿等の野生動物による食害は無かった。ただし、この実施例２の場合、金網２の網目２０が細かすぎて実施例１に比べ植物の成育の速さが遅かった。
【００６１】
比較例１の法面では、発芽がまばらであり、所々食害を受けていた。これは、金網の網目が実施例１に比べて大きいため、鹿等の野生動物に対し金網の忌避作用が充分に働かなかったためである。
【００６２】
比較例２の法面では、比較例１よりも発芽が少なく、更に食害を受けていた。これは、金網が敷設されていないので、これら野生動物は、何の障害もなく植物の種子及び発芽した芽を食べることができたためである。
【００６３】
以上のように、法面緑化において、野生動物による食害を抑制するには、本発明のように、これら野生動物の蹄の接地部分の大きさよりも小さいサイズの網目を備えた金網を敷設することが有効であると言える。
【符号の説明】
【００６４】
２                  金網
４                  法面
６                  上段部
８                  客土混合物層
１０                下段部
１２                アンカーピン
２２                網目
３０                蹄
【図１】
2015048610.tif 000003
【図２】
2015048610.tif 000004